(57)【要約】【課題】  矩形の分包紙をより好ましい形状に切断して散剤が分包紙の中に残りにくく、かつ飲みやすくするとともに、簡易な構成により低コストに実施できるようにする。【解決手段】  散剤Ｍを収容した矩形の分包紙Ｃを切断する分包紙用カッターであって、二枚のシート部３ａ，３ｂを重ねることにより分包紙Ｃを差し込むことができるポケット部２を形成するとともに、ポケット部２における少なくとも一部開口部４を、ポケット部２に分包紙Ｃを差し込んだ際に当該分包紙Ｃの一部Ｃｐを三角状に露出させる形状に形成し、かつ少なくとも一部開口部４の縁部４ａ，４ｂを、露出した分包紙Ｃを切断するブレード部５ａ，５ｂとして形成する。【選択図】  図１
0003131473.tif 000002
【実用新案登録請求の範囲】
【請求項１】
散剤を収容した矩形の分包紙を切断する分包紙用カッターであって、二枚のシート部を重ねることにより前記分包紙を差し込むことができるポケット部を形成するとともに、前記ポケット部における少なくとも一部開口部を、前記ポケット部に前記分包紙を差し込んだ際に当該分包紙の一部を三角状に露出させる形状に形成し、かつ少なくとも前記一部開口部の縁部を、露出した前記分包紙を切断するブレード部として形成してなることを特徴とする分包紙用カッター。
【請求項２】
前記ポケット部は、相隣る二辺部を閉塞し、かつ他の二辺部を開放した矩形形状における当該他の二辺部の各中間部位を結ぶ直線状又は円弧状のラインによりカットした形状の前記一部開口部を有することを特徴とする請求項１記載の分包紙用カッター。
【請求項３】
少なくとも一方のシート部の表面には広告部を表示してなることを特徴とする請求項１又は２記載の分包紙用カッター。
【考案の詳細な説明】
【技術分野】
【０００１】
本考案は、散剤（飲み薬）を収容した矩形の分包紙を切断する際に用いて好適な分包紙用カッターに関する。
【背景技術】
【０００２】
一般に、病院から支給される飲み薬や医師の処方箋により調剤される飲み薬などの散剤は、矩形の分包紙に収容される。しかし、このような分包紙は、手で千切って開封するため、好ましい形状に開封しにくい。特に、開封しやすさから、通常、分包紙の長手方向に対して直交方向に千切ることも多いが、この場合、開封口が大きくなるため、お年寄りなどにとっては飲みにくいとともに、散剤の一部を残したり溢したりして無駄を出しやすい問題がある。
【０００３】
このため、従来、分包紙の形状を変更し、より飲み易くしたものも、実開平３−１３１４６号公報で知られている。同公報で開示される薬包袋（分包紙）は、紙、金属箔、及び合成樹脂シート材を素材とする薬剤封入用の袋において、同袋の外形を四角形の四つのコーナー部の少なくとも一ケ所を所定形状に切欠した形とし、同袋内の空間の一部を同袋の所定の周縁部に向かって連続的になめらかな形状で狭くし、その先端を薬剤振出口としたものである。
【特許文献１】実開平３−１３１４６号
【考案の開示】
【考案が解決しようとする課題】
【０００４】
しかし、上述した従来の薬包袋は、次のような問題点があった。
【０００５】
第一に、薬包袋がいわば特殊形状となるため、薬包袋自身のコストアップのみならず、薬包袋を製作するための機器が複雑化する。結局、全体の大幅なコストアップを強いられるなど、汎用性及び実用性に欠ける。
【０００６】
第二に、薬包袋におる薬剤振出口に向かって狭くなる形状を有するため、散剤を放出する際に散剤が薬包袋の中に残存しやすい。換言すれば、散剤を薬包袋から放出しにくいため、必ずしも飲み易いと言えるものではない。
【０００７】
本考案は、このような背景技術に存在する課題を解決した分包紙用カッターの提供を目的とするものである。
【課題を解決するための手段】
【０００８】
本考案に係る分包紙用カッター１は、上述した課題を解決するため、散剤Ｍを収容した矩形の分包紙Ｃを切断する分包紙用カッターであって、二枚のシート部３ａ，３ｂを重ねることにより分包紙Ｃを差し込むことができるポケット部２を形成するとともに、ポケット部２における少なくとも一部開口部４を、ポケット部２に分包紙Ｃを差し込んだ際に当該分包紙Ｃの一部Ｃｐを三角状に露出させる形状に形成し、かつ少なくとも一部開口部４の縁部４ａ，４ｂを、露出した分包紙Ｃを切断するブレード部５ａ，５ｂとして形成してなることを特徴とする。
【０００９】
この場合、考案の好適な態様により、ポケット部２には、相隣る二辺部２ａ，２ｂを閉塞し、かつ他の二辺部２ｃ，２ｄを開放した矩形形状における当該他の二辺部２ｃ，２ｄの各中間部位を結ぶ直線状又は円弧状のラインＬｃによりカットした形状の一部開口部４を設けることができる。また、少なくとも一方のシート部３ａの表面には広告部６を表示することができる。
【考案の効果】
【００１０】
このような構成を有する本考案に係る分包紙用カッター１によれば、次のような顕著な効果を奏する。
【００１１】
（１）  矩形の分包紙Ｃを、より好ましい形状に切断するため、散剤Ｍが分包紙Ｃの中に残りにくく、しかも、飲みやすくなる。また、散剤Ｍを溢してその一部を無駄にする虞れを回避できるなど、実用性及び汎用性に優れる。
【００１２】
（２）  一般に使用されている矩形の分包紙Ｃを飲みやすい形状に切断するため、特殊形状の分包紙やこのような分包紙を製作する機器が不要になる。また、基本的には、一枚又は二枚のシート部３ａ，３ｂにより製作できるため、簡易な構成により低コストに実施できる。
【００１３】
（３）  薄い一枚のシート状となり、一般的なカード類と同様に衣類のポケットやサイフ等に容易に入れることができるため、何時でも何処でも手軽に使用できるなど、携帯性（保管性）及び利便性に優れる。
【００１４】
（４）  好適な態様により、ポケット部２に、相隣る二辺部２ａ，２ｂを閉塞し、かつ他の二辺部２ｃ，２ｄを開放した矩形形状における当該他の二辺部２ｃ，２ｄの各中間部位を結ぶ直線状又は円弧状のラインＬｃによりカットした形状の一部開口部４を設ければ、使い勝手の良い分包紙用カッター１を得れるとともに、望ましい三角状となる分包紙Ｃの一部Ｃｐを容易に得ることができる。
【００１５】
（５）  好適な態様により、少なくとも一方のシート部３ａの表面に広告部６を表示すれば、広告媒体として効果的に利用することができる。したがって、例えば、薬局等の店名を表示した景品（サービス品）として利用できるなど、付加価値をより高めることができる。
【考案を実施するための最良の形態】
【００１６】
次に、本考案に係る最良の実施形態を挙げ、図面に基づき詳細に説明する。
【００１７】
まず、本実施形態に係る分包紙用カッター１の構成について、図１〜図３を参照して説明する。
【００１８】
分包紙用カッター１は、基本的に、左右対称に形成した一枚のシートＳの中央部Ｓｃを折り畳むことにより重なり合う二枚のシート部３ａ，３ｂを形成するとともに、中央部Ｓｃにより形成される辺部２ａの隣の辺部２ｂを形成する各シート部３ａと３ｂ同士を溶着等により固着して閉塞部１１を形成する。これにより、分包紙Ｃを差し込むことができるポケット部２が形成される。この場合、シートＳは、一定の厚さを有し、かつ弾性を有する透明又は半透明のプラスチックシートを用いる。なお、プラスチックシートが望ましいが金属シート等の他の素材を用いることも可能である。例示は、一枚のシートＳを用いたが、別々に形成した二枚のシート部３ａ，３ｂを貼り合わせて同様の形態となるように構成してもよい。
【００１９】
また、ポケット部２は、相隣る二辺部２ａ，２ｂを閉塞し、かつ他の二辺部２ｃ，２ｄを開放した矩形形状における当該他の二辺部２ｃ，２ｄの各中間部位を結ぶ円弧状のラインＬｃによりカットした形状の一部開口部４を有する。即ち、図１に示すように、分包紙Ｃの一部Ｃｐを三角状に露出させることができる一部開口部４を形成する。このため、各辺部２ａ…，２ｃ…の長さは、ポケット部２に収容した分包紙Ｃの各辺部よりも長くなるように選定する。これにより、他の二辺部２ｃ，２ｄより開口部１２が設けられるとともに、一部開口部４により縁部４ａ，４ｂが形成される。
【００２０】
さらに、この縁部４ａ，４ｂは、露出した分包紙Ｃ（Ｃｐ）を切断するブレード部５ａ，５ｂとなるように形成する。したがって、シートＳ（シート部３ａ，３ｂ）の厚さ及び素材は、ポケット部２に分包紙Ｃを容易に収容し又は取出すことができるように一定の弾性を有する点、紙素材により形成した分包紙Ｃを容易に切断できる点を考慮して選定する。なお、円弧状のラインＬｃによりカットした場合を例示したが、直線状のラインＬｃによりカットしてもよい。また、単純なラインであってもよいし、必要により、より切断しやすくするための細かなノコギリ歯等を設けてもよい。
【００２１】
このように、ポケット部２に、相隣る二辺部２ａ，２ｂを閉塞し、かつ他の二辺部２ｃ，２ｄを開放した矩形形状における当該他の二辺部２ｃ，２ｄの各中間部位を結ぶ直線状又は円弧状のラインＬｃによりカットした形状の一部開口部４を設ければ、使い勝手の良い分包紙用カッター１を得れるとともに、望ましい三角状となる分包紙Ｃの一部Ｃｐを容易に得れる利点がある。
【００２２】
さらに、シート部３ａ…の表面には、図２に示すように、広告部６を表示する。このような広告部６を表示することにより、広告媒体として効果的に利用することができる。したがって、例えば、薬局等の店名を表示した景品（サービス品）として利用できるなど、付加価値をより高めることができる利点がある。なお、その他、必要により装飾を施すためのデザイン部２１などを表示してもよい。このような広告部６及びデザイン部２１は、いずれか一方のシート部３ａ又は３ｂの表面に設けてもよいし、双方のシート部３ａ，３ｂの表面に設けてもよい。
【００２３】
次に、本実施形態に係る分包紙用カッター１の使用方法について、図４〜図６を参照して説明する。
【００２４】
図４は、散剤Ｍを収容した矩形の分包紙Ｃと分包紙用カッター１を示す。分包紙用カッター１を使用する際は、図４に示すように、分包紙Ｃに収容された散剤Ｍを、ポケット部２に差し込んだ際に露出する分包紙Ｃの一部Ｃｐ側に片寄らせておく。そして、この分包紙Ｃを、分包紙用カッター１の開口部１２から内部に挿入、即ち、シート部３ａと３ｂ間に差し込む。図４に仮想線で示す分包紙Ｃが差し込んだ状態を示す。これにより、分包紙Ｃの一部Ｃｐが一部開口部４から三角状に露出する。
【００２５】
次いで、図５に示すように、分包紙Ｃの一部Ｃｐが一番下になるようにして、散剤Ｍを当該一部Ｃｐに全て集める。この後、一方の手（指）Ｈ１で分包紙用カッター１を持ち、他方の手（指）Ｈ２で分包紙Ｃの一部Ｃｐを持ち、当該一部Ｃｐをブレード部５ａ又は５ｂに押し当てて引っ張ることにより、当該一部Ｃｐをブレード部５ａ又は５ｂにより切断する。
【００２６】
図６が分包紙Ｃの一部Ｃｐを切断した状態を示す。これにより、三角状をなす当該一部Ｃｐに散剤Ｍが収容された状態となり、この状態の一部Ｃｐを利用して散剤Ｍを飲むことができる。よって、このような本実施形態に係る分包紙用カッター１によれば、矩形の分包紙Ｃを、より好ましい形状に切断するため、散剤Ｍが分包紙Ｃの中に残りにくく、しかも、飲みやすくなる。また、散剤Ｍを溢してその一部を無駄にする虞れを回避できるなど、実用性及び汎用性に優れる。さらに、一般に使用されている矩形の分包紙Ｃを飲みやすい形状に切断するため、特殊形状の分包紙やこのような分包紙を製作する機器が不要になる。また、基本的には、一枚又は二枚のシート部３ａ，３ｂにより製作できるため、簡易な構成により低コストに実施できる。加えて、薄い一枚のシート状となり、一般的なカード類と同様に衣類のポケットやサイフ等に容易に入れることができるため、何時でも何処でも手軽に使用できるなど、携帯性（保管性）及び利便性に優れる。
【００２７】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。
【図面の簡単な説明】
【００２８】
【図１】本考案の最良の実施形態に係る分包紙用カッターに分包紙を差し込んだ状態を示す斜視図、
【図２】同分包紙用カッターの正面図、
【図３】同分包紙用カッターの図２中Ａ−Ａ線断面図、
【図４】同分包紙用カッターの使用説明図、
【図５】同分包紙用カッターの使用説明図、
【図６】同分包紙用カッターの使用説明図、
【符号の説明】
【００２９】
１：分包紙用カッター，Ｍ：散剤，Ｃ：分包紙，３ａ：シート部，３ｂ：シート部，２：ポケット部，４：一部開口部，Ｃｐ：分包紙の一部，４ａ：一部開口部の縁部，４ｂ：一部開口部の縁部，５ａ：ブレード部，５ｂ：ブレード部，２ａ：辺部，２ｂ：辺部，２ｃ：辺部，２ｄ：辺部，Ｌｃ：ライン，６：広告部
【図１】
0003131473.tif 000003
【図２】
0003131473.tif 000004
【図３】
0003131473.tif 000005
【図４】
0003131473.tif 000006
【図５】
0003131473.tif 000007
【図６】
0003131473.tif 000008